(57)【要約】　　　（修正有）【課題】呼吸性建材の汚れを防止するための表面処理方法及び、汚れ補修技法を提供する。【解決手段】呼吸性無釉焼成タイルの表面に、消石灰を主要成分とし、必要に応じ顔料を加えた釉薬を塗布し、炭酸硬化作用により硬化させたタイルを用い、汚れの補修として同質の釉薬を塗り被せることにより、元の色調を快復させる。また、通気性はあるが、非通水性のシリコン系溌水材を塗布し、汚れを防止する。【選択図】なし【特許請求の範囲】
【請求項１】
沸石・珪石・消石灰・窯業廃棄物及び粘士を混合粉砕した後、これをプレス成型する。次に、この成型品を焼成炉の排ガスに曝して消石灰を硬化させるか、空気中に放置して自然硬化させて呼吸性無釉タイルを製造する。あるいは、
沸石・珪石・石灰石・窯業廃棄物及び粘土を混合粉砕した後、これをプレス成型する。次に、この成型品を乾燥した後、ローラーハースキルンに送入して、焼成温度８００℃から１０００℃で焼成して呼吸性無釉タイルを製造する。次に、以上二種類の無釉タイルに、
１．消石灰・珪砂・粘土ならびに必要に応じて顔料を加えて湿式粉砕した釉薬を、この呼吸性無釉タイルに施釉してから、焼成炉の排ガスに曝して硬化させるか、空気中に放置して自然硬化させる方法で、釉薬硬化を非焼成にした呼吸性タイルの製造技法。
２．呼吸性タイルは通気性を維持するために釉薬硬化後も吸水率があり汚れ易い。布巾、消しゴム等を使用する乾式手法で消すことのできない汚れは、同じ釉薬を用いてこれを小筆等で上塗することで、元の色調に復元する呼吸性タイルの汚れ補修技法。
３．呼吸性無釉タイルに、水溶性にして、通気性はあるが非通水性のシリコン系撥水材を塗布する。この場合において、万一汚れが発生する場合は、前項と同様に、このシリコン系撥水材を小筆等で上塗することで、元の色調に復元する呼吸性タイルの汚れ補修技法。
４．前記２項および３項の汚れ補修技法の
【特許請求の範囲】は、上記呼吸性施釉タイルならびにシリコン系撥水材塗布タイルのみならず、呼吸性を有する総ての建材、即ち、呼吸性プラスターボード、珪藻土煉瓦、大矢石壁材、呼吸性を付与したコンクリート関連製品及びコンクリート壁本体・内外装モルタル仕上げ等に及ぶ。
ただし、４項に列挙した一般の建材が呼吸材を含まない場合、あるいは、前記の二種の呼吸性無釉タイルに施釉をしないで直接施工する場合、または、施釉してからこれを焼成する場合は、本発明の「特許請求の範囲」に抵触しない。
【発明の詳細な説明】
【０００１】
【発明の属する技術分野】
今日、合理性を追求してきたあまりに新建材・家具等から揮発するホルムアルデヒド・トルエン等の有害ガスが人体に及ぼす悪影響対策、また、夏期の高湿度によるカビ・ダニの発生や、冬季の過乾燥による呼吸器障害の発生予防を目的とする室内空気環境対応建材（以下、纏めて呼吸建材と言う）の開発が急がれている。本発明はこうした建築空間の環境改善分野に属するものである。
【０００２】
【従来の技術】
建材や家具等から揮発する化学物質による頭痛や吐き気、目まい等の健康被害が高まっている。これに対応して、プラスターボード・壁紙・タイル等の業界において、関連新製品の開発に凌ぎを削っている技術分野である。
【０００３】
【本発明が解決しようとしている課題】
呼吸性建材は、気体の吸着・放出を可能にする通気性を維持するために一般建材のような防水性を付与できない。このことは、建材表面に微細な間隙や吸着ホールを持たせることから汚れを招き易いことになる。
本発明が解決しようとしている唯一の課題は、この汚れに対して如何に対処するかと言うことにある。
【０００４】
【課題を解決するための手段】
前項の課題を解決するために次のような手段をとる。
Ｉ．呼吸性タイルの汚れ対策。
呼吸性タイルを焼成した無釉タイルを施工すれば、これが汚れたとき無釉タイルの焼成色と同色の補修材は絶対に製造不可能であるから、汚れた場所を後刻補修しようとしてもできない。
同様に、無釉タイルに施釉してからこれを焼成する場合も、釉薬が焼成色を呈するので補修することができない。このために、呼吸性タイルの釉薬は非焼成であることが求められる。本発明では、これを解決する方法として、
１．釉薬の主要素材として消石灰を用いて、その炭酸化により硬化さる。釉薬を非焼成硬化することで、汚れを修復する材料と同色が得られるようにする。
２．呼吸性タイルの無釉タイルに、水溶性にして、通気性はあるが非通水性のシリコン系撥水材を塗布する。万一、未熟な塗布技術により後日、汚れが発生した場合は、このシリコン系撥水材を小筆等で上塗することで元の状態に復元する。
ＩＩ．一般呼吸性建材の汚れ対策。
呼吸性を有する総ての建材、即ち、呼吸性プラスターボード、珪藻土煉瓦、大矢石壁材、呼吸性を付与したコンクリート関連製品及びコンクリート壁本体・内外装モルタル仕上げ等の汚れ対策として、釉薬の主要素材に消石灰を用いた釉薬を塗布して、これが汚れた場合、同質の釉薬で補修する。
【０００５】
【発明の実施の形態】
以下、具体的に本発明の実施例を、呼吸性タイルを例にして説明する。
沸石３０％、珪石２０％、石灰石１５％、窯業廃棄物５％、粘土３０％を湿式粉砕し、湿式粉砕した後、これを噴霧乾燥した顆粒をプレス成型する。この成型品を乾燥した後、ローラーハースキルンに送入して、焼成温度８００℃から１０００℃、焼成時間を４０分から１時間で焼成して呼吸性無釉タイルを製造する。次に、
１．消石灰６０％、珪砂３０％、粘土１０％ならびに必要に応じて顔料を加えて湿式粉砕した釉薬を、この無釉タイルに施釉してから、含まれる消石灰を焼成炉の排ガスに曝して硬化させるか、空気中に放置して自然硬化さて、非焼成で釉薬を硬化させた呼吸性タイルを得る。
２．この施釉タイルが施工現場において、施工工事中あるいは施工後の使用中に汚れた場合は、汚れた部位に小筆あるいはブラシ等で、施釉した釉薬と同質の釉薬を塗り被せて汚れを覆い隠す。あるいは、
３．呼吸性無釉タイルに、水溶性にして、通気性はあるが非通水性のシリコン系撥水材を塗布する。万一、汚れが発生して、これを修復できない場合は、前項と同様に、シリコン系撥水材を小筆等で上塗することで元の状態に復元する
【０００６】
【発明の効果】
本発明によれば下記のような効果が得られる。
１．本発明の非焼成釉薬は消石灰を含んでいるので焼成しなくても常温で硬化するので二度焼きする必要がない。
２．この釉薬は多孔質で通気性があるので、室内揮発性有害ガスの通過を妨げることはない。
３．この釉薬は常温発色であるのでパステルカラーの発色が自由自在であり、メタリック釉・ラスター釉、あるいは京壁調のわぴ・さび風の肌合いも容易に発色させることができる。
４．また、この釉薬は完全不透明釉であるので、コーヒーや油性ペンキ筆跡などで汚れを生じても、わずか０．２ｍｍから０．３ｍｍの厚さで完全に覆い隠すことができ、施工後の使用現場においてその汚れを毛筆等で再修復することができる。
５．この釉薬は焼成しなくても常温で硬化するので、呼吸性タイルのみならず一般呼吸性建材の表面装飾に活用できる。
６．また、呼吸性タイルと同様に、この釉薬は完全不透明釉であるので、どのような建材の汚れでも完全カバーして元の色調に戻すことができる。
７．防水性を呼吸性建材求める場合は、水溶性にして、通気性はあるが非通水性のシリコン系撥水材を塗布する。万一、これに汚れが発生して修復できない場合は、前項と同様に、この同質のシリコン系撥水材を小筆等で上塗することで、元の状態に復元することができる。